(57)【要約】【課題】防煙シートに弛みやシワを生じにくくする。【解決手段】パネル枠２４はパネル枠２４の内周に沿って溝３２を有する。防煙シート２６はパネル枠２４の内側のパネル枠開口部３４に配置される。防煙シート２６のシート周縁部２６ａは溝３２に収容される。シート周縁部２６ａが収容された溝３２は、溝３２の一方の内壁面３２ｂとシート周縁部２６ａとの間に隙間４０を有する。隙間４０はパネル枠２４の内周側に圧入口４０ａを有する。押し縁２８は圧入口４０ａから隙間４０に圧入状態に収容されている。押し縁２８は、溝３２に収容されたシート周縁部２６ａを溝３２の他方の内壁面３２ａの方向に圧接して、シート周縁部２６ａをパネル枠２４に固定している。【選択図】図１
2018143398.tif 000002
【特許請求の範囲】
【請求項１】
パネル枠と防煙シートと押し縁を有し、
前記パネル枠は該パネル枠の内周に沿って溝を有し、
前記防煙シートは前記パネル枠の内側のパネル枠開口部に配置され、
前記防煙シートのシート周縁部は前記溝に収容され、
前記シート周縁部が収容された前記溝は、該溝の一方の内壁面と該シート周縁部との間に隙間を有し、
前記隙間は前記パネル枠の内周側に圧入口を有し、
前記押し縁は前記圧入口から前記隙間に圧入状態に収容されて、該溝に収容された前記シート周縁部を該溝の他方の内壁面の方向に圧接して、該シート周縁部を前記パネル枠に固定している、
そのような構造を有する防煙垂壁用防煙パネル。
【請求項２】
前記シート周縁部は前記溝の内壁面に対して非接合とされている請求項１に記載の防煙垂壁用防煙パネル。
【請求項３】
前記押し縁の軸直交方向の断面形状が少なくとも一方向について線対称な形状を有し、
前記押し縁は前記線対称な方向を前記隙間への圧入方向に設定して該隙間に収容されている請求項１または２に記載の防煙垂壁用防煙パネル。
【請求項４】
前記押し縁の軸直交方向の断面形状が、前記シート周縁部に対面する側が凸状で、該凸状の反対側が平状の、概ね蒲鉾形状を有する請求項１から３のいずれか１つに記載の防煙垂壁用防煙パネル。
【請求項５】
前記パネル枠の前記溝の内壁面および該内壁面に対面する前記押し縁の外周面は互いに係合して該押し縁が該溝から抜けるのを抑制する押し縁抜け止め係合部を有する請求項１から４のいずれか１つに記載の防煙垂壁用防煙パネル。
【発明の詳細な説明】
【技術分野】
【０００１】
この発明は防煙垂壁用防煙パネルに関し、防煙シートに弛みやシワを生じにくくしたものである。
【背景技術】
【０００２】
防煙垂壁用防煙パネルにおいて、パネル枠に防煙シートを張り付ける構造として、特許文献１に記載の構造があった。これはパネル枠に防煙シートを両面テープで貼り付け、該パネル枠の外周にカバーを嵌め込んだ構造を有する。
【先行技術文献】
【特許文献】
【０００３】
【特許文献１】特許第５９９４１３８号
【発明の概要】
【発明が解決しようとする課題】
【０００４】
特許文献１に記載の、パネル枠に防煙シートを張り付ける前記構造によれば、パネル枠の外周にカバーを嵌め込む際に防煙シートに弛みやシワを生じさせる恐れがあった。
【０００５】
この発明は前記従来の技術における問題点を解決して、防煙シートに弛みやシワを生じにくくした防煙垂壁用防煙パネルを提供しようとするものである。
【課題を解決するための手段】
【０００６】
この発明の防煙パネルは、パネル枠と防煙シートと押し縁を有し、前記パネル枠は該パネル枠の内周に沿って溝を有し、前記防煙シートは前記パネル枠の内側のパネル枠開口部に配置され、前記防煙シートのシート周縁部は前記溝に収容され、前記シート周縁部が収容された前記溝は、該溝の一方の内壁面と該シート周縁部との間に隙間を有し、前記隙間は前記パネル枠の内周側に圧入口を有し、前記押し縁は前記圧入口から前記隙間に圧入状態に収容されて、該溝に収容された前記シート周縁部を該溝の他方の内壁面の方向に圧接して、該シート周縁部を前記パネル枠に固定している、そのような構造を有するものである。これによれば、押し縁を圧入口から隙間に、防煙シートを張る方向に圧入して防煙シートをパネル枠に固定できるので、防煙シートに弛みやシワを生じにくくして該防煙シートをパネル枠に固定することができる。
【０００７】
この発明の防煙パネルにおいて、前記シート周縁部は前記溝の内壁面に対して非接合とされることができる。これによれば、押し縁を隙間に圧入するときに、シート周縁部は該押し縁の圧入により防煙シートを張る方向に動くことができるので、防煙シートに弛みやシワを、より生じにくくすることができる。また、シート周縁部は溝の内壁面に対して非接合であるので、該シート周縁部をパネル枠に接着テープで止める必要がなくなり、その分、部品点数および組立工数を削減することができる。
【０００８】
この発明の防煙パネルは、前記押し縁の軸直交方向の断面形状が少なくとも一方向について（例えば、該断面形状の長手方向について）線対称な形状を有し、前記押し縁は前記線対称な方向を前記隙間への圧入方向に設定して該隙間に収容されているものとすることができる。これによれば、少なくとも一方向について押し縁の向きを考慮せずに押し縁を隙間に収容することができ、該少なくとも一方向について向きを誤ることなく押し縁を隙間へ収容することができる。この発明の防煙パネルは、前記押し縁の軸直交方向の断面形状が、前記シート周縁部に対面する側が凸状で、該凸状の反対側が平状の、概ね蒲鉾形状を有するものとすることができる。これによれば、押し縁は、平状の面で押し縁を溝の内壁面に安定に支持した状態で、凸状の面でシート周縁部を安定に圧接することができる。また、押し縁は断面蒲鉾形状により両側部で板厚が薄くなっているので、押し縁の断面形状が長方形等の場合に比べて、押し縁を隙間に圧入し易い。この発明の防煙パネルにおいて、前記パネル枠の前記溝の内壁面および該内壁面に対面する前記押し縁の外周面は互いに係合して該押し縁が該溝から抜けるのを抑制する押し縁抜け止め係合部を有することができる。これによれば、押し縁抜け止め係合部どうしの係合により、押し縁を隙間から抜けにくくすることができる。また、押し縁抜け止め係合部どうしが係合する際にクリック感が得られるので、押し縁が隙間に収容されたことを容易に確認することができる。
【０００９】
この発明の防煙パネルは、前記パネル枠の全辺について、前記シート周縁部を前記溝に収容して、前記押し縁を該溝の前記隙間に圧入状態に収容して、該溝に収容された前記シート周縁部を該溝の内壁面方向に圧接して、該シート周縁部を前記パネル枠に固定している構造を有することができる。これによれば、防煙シートに全方向に弛みやシワを生じにくくして該防煙シートをパネル枠に固定することができる。この発明の防煙パネルにおいて、前記防煙シートは、例えば厚さ0.1〜1.0mmの不燃性ガラス繊維強化透明樹脂シートで構成することができる。これによれば、防煙シートに弛みやシワを、より生じにくくすることができる。この発明の防煙パネルにおいて、前記パネル枠および押し縁はアルミ材で構成されるものとすることができる。これによれば、押し縁を含めて防煙パネルを不燃性にし、かつ軽量にすることができる。
【００１０】
この発明の防煙パネルは、例えば、前記シート周縁部を前記溝に収容して前記防煙シートを前記パネル枠の前記パネル枠開口部に配置し、その後、前記押し縁を前記圧入口から前記隙間に圧入して前記シート周縁部を前記パネル枠に固定することにより組み立てることができる。これによれば、押し縁を圧入口から隙間に、防煙シートを張る方向に圧入して防煙シートをパネル枠に固定するので、防煙シートに弛みやシワを生じにくくして該防煙シートをパネル枠に固定することができる。
【図面の簡単な説明】
【００１１】
【図１】この発明の実施の形態を示す図で、図２の防煙垂壁のＡ−Ａ矢視断面図および該断面図の一部拡大図である。
【図２】屋内における防煙垂壁の設置例を示す模式正面図である。
【図３】図２の防煙垂壁のＢ−Ｂ矢視断面図である。
【図４】図２の防煙垂壁における防煙パネルの構成部品を示す分解斜視図である。
【図５】図４の防煙パネルにおけるパネル上枠の軸直交方向の断面図である。
【図６】図４の防煙パネルにおけるパネル下枠の軸直交方向の断面図である。
【図７】図４の防煙パネルにおける左右パネル立枠の軸直交方向の断面図である。
【図８】図４の防煙パネルにおける押し縁の軸直交方向の断面図である。
【図９Ａ】図９Ａ，図９Ｂは図６のパネル下枠に、図８の押し縁を圧入する工程を示す模式図であり、このうち図９Ａは圧入前の状態を示す。
【図９Ｂ】図９Ａに続く圧入工程を示す図で、圧入を完了した状態を示す。
【図１０】図２の防煙垂壁における上レールのレール本体の軸直交方向の断面図である。
【図１１】図２の防煙垂壁における上レールの上レールカバーの軸直交方向の断面図である。
【図１２】図２の防煙垂壁における下レールの軸直交方向の断面図である。
【図１３】図２の防煙垂壁における連結方立の軸直交方向の断面図である。
【発明を実施するための形態】
【００１２】
この発明の実施の形態を以下説明する。図２は屋内における防煙垂壁の設置例を示す。屋内の天井１０には、壁と壁の間、または柱と柱の間、または壁と柱の間の全長にわたり、連続的かつ直線的に上レール（天井レール）１２が敷設されている。上レール１２には複数枚の防煙パネル１４が横方向に連ねて吊り下げられている。１枚の防煙パネル１４の縦横寸法は、例えば、縦が300〜800mm、横が1500〜2000mmである。隣接する防煙パネル１４，１４どうしは連結方立１６で連結されている。一連の防煙パネル１４，１４，・・・の下部は連続した下レール１８に連結されている。これにより防煙垂壁２０が構成されている。図２のＡ−Ａ矢視断面を図１に示す。図２のＢ−Ｂ矢視断面を図３に示す。図１に示すように、上レール１２はビス２２で天井１０に取り付けられている。
【００１３】
１枚の防煙パネル１４を図４に構成部品に分解して示す。防煙パネル１４は全体として正面形状が横長の長方形に構成されている。防煙パネル１４は、パネル枠２４、防煙シート２６、パネル枠２４の各辺ごとの押し縁２８（パネル押さえ）を有する。パネル枠２４は、長尺で相互に同一長さのパネル上枠２４Ａおよびパネル下枠２４Ｂと、短尺で相互に同一長さのパネル立枠２４Ｃ（左）およびパネル立枠２４Ｄ（右）を有する。パネル上枠２４Ａ、パネル下枠２４Ｂ、パネル立枠２４Ｃ、パネル立枠２４Ｄを長方形に組んで、隣接する枠どうしを、角でビス３０によりそれぞれ連結固定することにより、長方形のパネル枠２４が構成される。パネル枠２４はその内周に沿って、全周に連続する溝３２（３２Ａ，３２Ｂ，３２Ｃ，３２Ｄ）を有する。防煙シート２６は正面形状が長方形で、例えば、厚さ0.1〜1.0mm程度の市販の不燃性ガラス繊維強化透明樹脂シートで構成される。防煙シート２６は厚いものであれば強くテンションをかけなくてもシワは寄りにくいが、それでもある程度しっかり張らないと、弛みが生じて見栄えが悪くなる。防煙シート２６の縦・横寸法は、パネル枠２４の内側のパネル枠開口部３４（図１〜図３）の縦・横寸法（溝３２の外の位置での寸法）よりも大きく、かつパネル枠２４内でしっかり張れるように、パネル枠２４の内側の溝３２の底部位置での縦・横寸法よりもわずかに（例えば、2〜3mm程度）小さい。防煙シート２６の周縁部（シート周縁部）２６ａの全周をパネル枠２４の溝３２に収容して防煙シート２６をパネル枠開口部３４に配置し（つまり、防煙シート２６でパネル枠開口部３４を塞ぎ）、パネル枠２４の各辺で、溝３２の一方の内壁面３２ｂ（図９Ａ）と、溝３２に収容されたシート周縁部２６ａとの間の隙間４０（図９Ａ）に押し縁２８を圧入する。これにより、シート周縁部２６ａは全周でパネル枠２４に固定されて、防煙パネル１４が組み立てられる。押し縁２８を溝３２に圧入するだけで防煙シート２６をパネル枠２４に容易に固定できるので、防煙パネル１４の組立を容易に行うことができる。また、防煙シート２６をパネル枠２４に固定するのに接着テープを使用しないので、その分、部品点数および組立工数を削減することができる。
【００１４】
パネル枠２４の各辺および押し縁２８の構成を図５〜図８を参照して説明する。パネル枠２４および押し縁２８はいずれもアルミ材で構成され、押出成形等により一体物としてそれぞれ構成されている。図５〜図８に示す個々の部材の軸直交方向の断面構造は、その全長にわたり変わらない。ただし、パネル立枠２４Ｃ，２４Ｄは、延在方向両端にパネル上枠２４Ａおよびパネル下枠２４Ｂとの連結のための構造を有する（図４参照）。図５はパネル上枠２４Ａの軸直交方向の断面構造を示す。パネル上枠２４Ａの軸直交方向の断面の外形は全体として概ね長方形に構成されている。パネル上枠２４Ａの上部には、パネル上枠２４Ａの長手方向両端部と左右のパネル立枠２４Ｃ，２４Ｄの各上端部とをビス３０，３０（図４）でそれぞれ連結固定するためのビス穴３６が形成されている。パネル上枠２４Ａの上部には外向き水平方向に突き出した後、下向きに屈曲するフック３８が形成されている。パネル上枠２４Ａには下方に開口する溝３２Ａが形成されている。溝３２Ａを挟んで板部４２，４４どうしが並行に対面している。溝３２Ａには防煙シート２６のシート周縁部２６ａおよび押し縁２８が収容される。溝３２Ａの一側の板部４２の先端部（下端部）には溝３２Ａ側に突出する係合突起３２ｃ（押し縁抜け止め係合部）が形成されている。係合突起３２ｃは押し縁２８の抜け止めの機能を果たす。溝３２Ａの他側の板部４４の先端部（下端部）は外向き水平方向に突出して防煙パネル側突出部４４ａを構成している。防煙パネル側突出部４４ａは後述する上レールカバー側突出部７８ｃと係合して、防煙パネル１４の上方への移動を抑制する機能を果たす（図１参照）。防煙パネル側突出部４４ａの先端面４４ｂは、上レールカバー７８の下部７８ａの垂直面７８ｂ（図１１）に当接する（図１参照）。
【００１５】
図６はパネル下枠２４Ｂの軸直交方向の断面構造を示す。パネル下枠２４Ｂの軸直交方向の断面の外形は全体として概ね長方形に構成されている。パネル下枠２４Ｂの下部には、パネル下枠２４Ｂの長手方向両端部と左右のパネル立枠２４Ｃ，２４Ｄの各下端部とをビス３０，３０（図４）でそれぞれ連結固定するためのビス穴４６が形成されている。パネル下枠２４Ｂには上方に開口する溝３２Ｂが形成されている。溝３２Ｂを挟んで板部４８，５０どうしが並行に対面している。溝３２Ｂには防煙シート２６のシート周縁部２６ａおよび押し縁２８が収容される。溝３２Ｂの一側の板部４８の先端部（上端部）には溝３２Ｂ側に突出する係合突起３２ｃが形成されている。係合突起３２ｃは押し縁２８の抜け止めの機能を果たす。
【００１６】
図７は左右のパネル立枠２４Ｃ，２４Ｄの軸直交方向の断面構造を示す。パネル立枠２４Ｃ，２４Ｄの軸直交方向の断面の外形は全体として概ね長方形に構成されている。パネル立枠２４Ｃ，２４Ｄには側方に開口する溝３２Ｃ，３２Ｄが形成されている。溝３２Ｃ，３２Ｄを挟んで板部５２，５４どうしが並行に対面している。溝３２Ｃ，３２Ｄには防煙シート２６のシート周縁部２６ａおよび押し縁２８が収容される。溝３２Ｃ，３２Ｄの一側の板部５２の先端部には溝３２Ｃ，３２Ｄ側に突出する係合突起３２ｃが形成されている。係合突起３２ｃは押し縁２８の抜け止めの機能を果たす。
【００１７】
図８は押し縁２８の軸直交方向の断面構造を示す。図８の押し縁２８は中身が詰まった非中空構造を有する。押し縁２８の軸直交方向の断面は、概ね蒲鉾形状を有する。すなわち、押し縁２８の軸直交方向の断面形状は長手方向と短手方向を有し、短手方向に対向する長辺２８ａ，２８ｂは、一方の長辺２８ａが凸状の曲面に形成され、他方の長辺２８ｂが平状に形成されている。長手方向に対向する短辺２８ｃ，２８ｄは互いに平行な平状にそれぞれ形成されている。平状の長辺２８ｂの中央位置から両側に偏った位置には係合突起５６，５６が形成されている。係合突起５６，５６はパネル枠２４の上下左右各枠２４Ａ，２４Ｂ，２４Ｃ，２４Ｄの各係合突起３２ｃ（図５〜図７）に係合する。以上の構成により、押し縁２８の軸直交方向の断面構造は、長手方向について（すなわち、長手方向の中心点を通りかつ短手方向に延びる中心線５８に対し）線対称な形状を有する。
【００１８】
図４の防煙パネル１４は例えば次の工程で組み立てられる。
(1) パネル枠２４を構成する４辺のうち３辺の枠部材（例えば、パネル上枠２４Ａ、パネル下枠２４Ｂ、パネル立枠２４Ｃ）を２本のビス３０，３０で連結固定して、「コ」状に組み立てる。
(2) パネル枠２４の「コ」状に開いている辺から、シート周縁部２６ａを溝３２に案内しながら、防煙シート２６をパネル枠２４に差し込んでいく。
(3) 防煙シート２６を「コ」状のパネル枠２４の突き当たりまで差し込んだら、残りの１辺の枠部材（例えばパネル立枠２４Ｄ）を２本のビス３０，３０でパネル枠２４に取り付けて、パネル枠２４の「コ」状に開いている辺を閉じる。これでパネル枠２４の開口部３４に防煙シート２６を配置して該開口部３４を塞いだ状態にした、長方形状のパネル枠２４が組み立てられる。
(4) 防煙シート２６の厚さに比べて溝３２の開口幅は十分に広く、溝３２にシート周縁部２６ａを収容した状態で、溝３２に隙間４０がパネル枠２４の全周で形成されている。この隙間４０に、パネル枠２４の辺ごとに押し縁２８を圧入する。これで防煙シート２６はパネル枠２４の全周で、パネル枠２４に気密に取り付けられて、防煙パネル１４が完成する。
【００１９】
図９（Ａ，Ｂ）はパネル下枠２４Ｂに押し縁２８を圧入する様子を示す。ここでは防煙シート２６の上辺のシート周縁部２６ａの、押し縁２８の圧入によるパネル上枠２４Ａへの取り付けは完了しているものとする。図９Ａは圧入前の状態を示す。パネル下枠２４Ｂの溝３２（３２Ｂ）には防煙シート２６の下辺のシート周縁部２６ａが収容されている。シート周縁部２６ａが収容された溝３２は、溝３２の一方の内壁面３２ｂとシート周縁部２６ａとの間に隙間４０が形成されている。隙間４０はパネル枠２４の内周側に圧入口４０ａを有する。この状態で押し縁２８を短辺２８ｄ側を先頭にして圧入口４０ａから隙間４０に手で圧入する。押し縁２８は断面が蒲鉾状で、進入端側（短辺２８ｄ側）の肉厚が薄くなっているので圧入口４０ａに容易に差し込むことができる。押し縁２８を隙間４０にさらに進入させていくと、２個の係合突起５６が係合突起３２ｃを乗り越える際に、また押し縁２８の断面中央部が蒲鉾形状で肉厚になっているために、進入させるのが多少きつくなってくる。そこで、少し力を入れて押し込むことにより、パネル下枠２４Ｂが弾性変形で撓んで隙間４０が少し拡がり、押し縁２８を隙間４０に完全に収容することができる。このとき後側（短辺２８ｃ寄り）の係合突起５６が係合突起３２ｃを乗り越えることにより、手にクリック感が得られるので、作業者は押し縁２８が隙間４０に完全に収容されたことを容易に知覚することができる。
【００２０】
図９Ｂは押し縁２８が隙間４０に完全に収容された状態を示す。このとき押し縁２８は、短辺２８ｄが溝３２の底面３２ｄに当接し、上側の係合突起５６が溝３２の入口の係合突起３２ｃに係合して、押し縁２８は隙間４０から容易には抜けなくなる。また、押し縁２８が圧入されたことにより生じるパネル下枠２４Ｂの弾性力により（つまり溝３２を挟んで対向する板部４８，５０のばね性により）、押し縁２８の２個の係合突起５６，５６の先端部は溝３２の内壁面３２ｂに当接し、凸状の長辺２８ａの頂部がシート周縁部２６ａを溝３２の内壁面３２ａに圧接して、シート周縁部２６ａをパネル下枠２４Ｂに固定する。溝３２および押し縁２８の断面形状および寸法はこのような固定状態が得られるように設計されている。押し縁２８を隙間４０に圧入する際に、防煙シート２６は押し縁２８により、張る方向（すなわち弛みを解消する方向）に引っ張られるので、弛みやシワが生じにくくなる。特に、シート周縁部２６ａはパネル枠２４に対して接着テープ等で止められてなく、動くことができるので、押し縁２８の圧入による防煙シート２６を張る効果を高めることができる。また、防煙シート２６の弛みが減ることにより、防煙パネル１４全体の撓みも修正される。
【００２１】
図９（Ａ，Ｂ）はパネル下枠２４Ｂの溝３２Ｂの隙間４０に押し縁２８を圧入する場合について説明したが、パネル上枠２４Ａ、パネル立枠２４Ｃ，２４Ｄについても、パネル下枠２４Ｂと同様にして、溝３２（３２Ａ，３２Ｃ，３２Ｄ）の隙間４０に押し縁２８をそれぞれ圧入することにより、防煙シート２６の上辺、左辺、右辺のシート周縁部２６ａをパネル上枠２４Ａ、パネル立枠２４Ｃ，２４Ｄにそれぞれ固定することができる。その結果、防煙シート２６を弛みやシワのない状態でパネル枠２４に展張することができる。押し縁２８の軸直交方向の断面構造は、長手方向について線対称な形状を有するので（図８参照）、押し縁２８は凸状の長辺２８ａをシート周縁部２６ａに対面させる側に向けさえすれば、短辺２８ｃ，２８ｄのいずれの側を先頭にして隙間４０に進入させてもよく、押し縁２８を、向きを誤ることなく隙間４０に圧入することができる。
【００２２】
次に、防煙パネル１４を支持する上レール１２、下レール１８、連結方立１６の構成を図１０〜図１３を参照して説明する。上レール１２は上レール本体６０（図１０）と上レールカバー７８（図１１）を有する。上レール本体６０、上レールカバー７８、下レール１８、連結方立１６はいずれもアルミ材で構成され、押出成形等により一体物としてそれぞれ構成されている。図１０〜図１３に示す個々の部材の軸直交方向の断面構造は、その全長にわたり変わらない。図１０は上レール１２の上レール本体６０の軸直交方向の断面構造を示す。上レール本体６０はレール上面６２、レール前面６４、上レールカバー取付面６６を有する。レール上面６２は天井１０（図１）に取り付けられるように平面に構成されている。レール前面６４はレール上面６２の前端部から垂下して配置されている。上レールカバー取付面６６はレール上面６２の後端部よりも少し手前の位置から垂下して配置されている。レール上面６２、レール前面６４、上レールカバー取付面６６に囲まれた内側には、パネル上枠２４Ａを収容する空所６８が構成されている。空所６８は下方に差込口６８ａを有する。空所６８において、レール前面６４の裏面にはフック掛け７０が形成されている。フック掛け７０はレール前面６４の裏面から水平方向に突き出した後、上向きに屈曲する断面形状に構成されている。フック掛け７０には防煙パネル１４のフック３８（図１、図５）が掛けられ、これにより防煙パネル１４は上レール本体６０に吊り下げられる。レール前面６４の下部は差込口６８ａ側に向けて屈曲して、その下端部は水平方向に向けて突き出している。この突き出した部分の先端面７２は防煙パネル１４のパネル上枠２４Ａの前面に当接する（図１）。上レールカバー取付面６６の下部は差込口６８ａとは反対側に向けて水平方向に屈曲して突き出している。この水平方向に突き出した箇所の端部付近の上面には爪７６が形成されている。レール上面６２の、上レールカバー取付面６６よりも後方に延在する箇所の下面には、爪７６に対向して爪７４が形成されている。
【００２３】
図１１は上レールカバー７８の軸直交方向の断面構造を示す。上レールカバー７８は上レール本体６０に防煙パネル１４を吊り下げた状態で上レール本体６０に装着されて上レール本体６０の差込口６８ａを塞ぎ（図１）、防煙パネル１４の揺動および上方への移動を抑制する。上レールカバー７８は、上レール本体６０の上レールカバー取付面６６（図１０）に並行に対面するレール背面８０を有する。レール背面８０は上レール１２の背面を構成する。レール背面８０の上レールカバー取付面６６との対向面には、上下２箇所に爪８２，８４が突出形成されている。爪８２，８４は上レール本体６０の爪７４，７６にそれぞれ爪係合して、上レールカバー７８を上レール本体６０に装着する。上レールカバー７８の下部７８ａは、上レール本体６０に向かう水平方向に屈曲して突き出している。下部７８ａの先端部はクランク状に上方向に屈曲している。すなわち、下部７８ａの先端部は一旦垂直上方に屈曲し、さらに上レール本体６０に向かう水平方向に屈曲している。最初の屈曲により形成される上レール本体６０に対向する垂直面７８ｂはパネル上枠２４Ａの防煙パネル側突出部４４ａの先端面４４ｂに当接する（図１）。次の屈曲により形成される水平部分は上レールカバー側突出部７８ｃを構成する。上レールカバー側突出部７８ｃはパネル上枠２４Ａの防煙パネル側突出部４４ａと上下方向に対面する（図１に示すように、上レールカバー側突出部７８ｃが上側、防煙パネル側突出部４４ａが下側に配置される）。地震時等に防煙パネル１４が上方に移動しようとすると、上レールカバー側突出部７８ｃと防煙パネル側突出部４４ａどうしが係合して、防煙パネル１４の該上方への移動が抑制されて、フック３８がフック掛け７０から外れるのを防止し、防煙パネル１４が上レール１２から落下するのを防止する。
【００２４】
図１２は下レール１８の軸直交方向の断面構造を示す。下レール１８は防煙パネル１４のパネル下枠２４Ｂを収容する空所８６を有する。下レール１８は、空所８６を挟んで対向する板部８６ａ，８６ｂのばね性による弾性力により、パネル下枠２４Ｂを挟み付けて、パネル下枠２４Ｂに装着される。板部８６ａ，８６ｂの内壁面にはパネル下枠２４Ｂを表裏両面側から挟み付ける突条８８が対向配置されている。空所８６の底面には突条９０が形成されている。突条９０にはパネル下枠２４Ｂの先端面（下端面）が当接する。
【００２５】
図１３は連結方立１６の軸直交方向の断面構造を示す。連結方立１６は隣接する防煙パネル１４，１４のパネル立枠２４Ｄ，２４Ｃをそれぞれ収容する空所９２，９４を有する。連結方立１６は、空所９２を挟んで対向する板部９２ａ，９２ｂのばね性による弾性力により、パネル立枠２４Ｄを挟み付けて、パネル立枠２４Ｄに装着される。板部９２ａ，９２ｂの内壁面にはパネル立枠２４Ｄを表裏両面側から挟み付ける突条９６が対向配置されている。また、連結方立１６は、空所９４を挟んで対向する板部９４ａ，９４ｂのばね性による弾性力により、パネル立枠２４Ｃを挟み付けて、パネル立枠２４Ｃに装着される。板部９４ａ，９４ｂの内壁面にはパネル立枠２４Ｃを表裏両面側から挟み付ける突条９８が対向配置されている。
【００２６】
以上説明した構成を有する図２の防煙垂壁２０は例えば次の工程で設置される。
(1) 例えば左右両壁間の全長にわたり天井１０に上レール本体６０をビス２２（図１）で固定する。
(2) 防煙垂壁２０の両端部が配置される壁面位置に、該端部を差し込んで防煙垂壁と壁面との間の隙間を塞ぐ端部材（図示せず）を取り付ける。
(3) 最初の防煙パネル１４（防煙垂壁２０の例えば左端に配置される防煙パネル）のフック３８を上レール本体６０のフック掛け７０に掛けて、防煙パネル１４を上レール本体６０に吊り下げる。
(4) 吊り下げた防煙パネル１４を左方向にスライドさせて、防煙パネル１４の左端部を左壁の端部材に15mm程度差し込む。これで、左壁と防煙垂壁２０との隙間が塞がれる。
(5) 防煙パネル１４の右辺のパネル立枠２４Ｄを連結方立１６の左側の空所９２に嵌め込んで防煙パネル１４の右辺に連結方立１６を装着する。
(6) 次の防煙パネル１４を同様に上レール本体６０に吊り下げる。この防煙パネル１４を左方向にスライドさせて、左辺のパネル立枠２４Ｃを先程の連結方立１６の右側の空所９４に嵌め込んで装着する。以後同様にして、防煙パネル１４を必要な数だけ上レール本体６０に吊り下げて、隣接する防煙パネル１４，１４どうしを連結方立で連結する。
(7) 最後の防煙パネル１４（防煙垂壁２０の右端に配置される防煙パネル）の右端部を右壁の端部材に差し込む。これで、右壁と防煙垂壁２０との隙間が塞がれる。
(8) 上レール本体６０の全長にわたり上レールカバー７８を嵌めて装着し、上レール１２の背面側からビス１００（図１）を、上レールカバー７８から上レール本体６０にかけてねじ込み、上レールカバー７８と上レール本体６０どうしを連結する。これにより、地震時等に防煙パネル１４に揺動しようとする力がかかった時に上レール本体６０から上レールカバー７８が外れるのを防止することができる。ビス１００の先端をパネル上枠２４Ａの背面に突き刺せば、防煙パネル１４の移動（防煙パネル１４の揺動および上方向の移動）を抑制する効果が高まる。
(9) 一連の防煙パネル１４，１４，・・・の下辺のパネル下枠２４Ｂを、連続した下レール１８に嵌め込み、下レール１８の下面側からビス１０２（図１）を下レール１８からパネル下枠２４Ｂのビス穴４６に通じる空所４６ａ（図１、図６）にかけてねじ込み、下レール１８をパネル下枠２４Ｂに固定する。以上により、防煙垂壁２０の設置が完了する。
【００２７】
以上のようにして完成した防煙垂壁２０の縦断面構造を図１により説明する。防煙パネル１４が静止状態にあるときに、パネル上枠２４Ａは前面が上レール本体６０の下端部の先端面７２に当接し、背面の防煙パネル側突出部４４ａの先端面４４ｂが上レールカバー７８の下部７８ａの垂直面７８ｂに当接する。つまり、パネル枠２４の上部は上レール本体６０と上レールカバー７８に挟み付けられる。これにより、防煙パネル１４の面に直行する方向の防煙パネル１４の揺動が抑制される。パネル上枠２４Ａの防煙パネル側突出部４４ａの先端面４４ｂを上レールカバー７８の垂直面７８ｂに当接させるのに代えて、またはパネル上枠２４Ａの防煙パネル側突出部４４ａの先端面４４ｂを上レールカバー７８の垂直面７８ｂに当接させるとともに、上レールカバー側突出部７８ｃの先端面７８ｄ（図１１）をパネル上枠２４Ａの板部４４に当接させることで防煙パネル１４の揺動を抑制することもできる。また、地震時等に防煙パネル１４が上方に大きく移動しようとした場合には、防煙パネル側突出部４４ａと上レールカバー側突出部７８ｃとが係合して、防煙パネル１４の上方への移動を抑制される。これにより、フック３８がフック掛け７０から外れて防煙パネル１４が落下するのが防止される。
【００２８】
前記実施の形態では防煙パネルの全辺について押し縁の圧入による防煙シート周縁部の固定構造を採用した場合について説明したが、この発明の防煙パネルは、防煙パネルの全周の一部の辺について該固定構造を採用することもできる。また、押し縁の構造は前記実施の形態で示したものに限らない。押し縁を中空部材で構成することもできる。
【符号の説明】
【００２９】
１０…天井、１２…上レール、１４…防煙パネル、１６…連結方立、１８…下レール、２０…防煙垂壁、２２…ビス、２４…パネル枠、２４Ａ…パネル上枠、２４Ｂ…パネル下枠、２４Ｃ，２４Ｄ…パネル立枠、２６…防煙シート、２６ａ…シート周縁部、２８…押し縁、２８ａ…長辺（凸状）、長辺（平状）…２８ｂ、２８ｃ，２８ｄ…短辺、３０…ビス、３２（３２Ａ，３２Ｂ，３２Ｃ，３２Ｄ）…溝、３２ａ…他方の内壁面、３２ｂ…一方の内壁面、３２ｃ…係合突起（押し縁抜け止め係合部）、３２ｄ…底面、３４…パネル枠開口部、３６…ビス穴、３８…フック、４０…隙間、４０ａ…圧入口、４２，４４…板部、４４ａ…防煙パネル側突出部（パネル外れ止め係合部）、４４ｂ…先端面、４６…ビス穴、４６ａ…空所、４８…板部、５０…板部、５２…板部、５４…板部、５６…係合突起（押し縁抜け止め係合部）、５８…中心線、６０…上レール本体、６２…レール上面、６４…レール前面、６６…上レールカバー取付面、６８…空所、６８ａ…差込口、７０…フック掛け、７２…先端面、７４，７６…爪、７８…上レールカバー、７８ａ…下部、７８ｂ…垂直面、７８ｃ…上レールカバー側突出部（パネル外れ止め係合部）、７８ｄ…先端面、８０…レール背面、８２，８４…爪、８６…空所、８６ａ，８６ｂ…板部、８８，９０…突条、９２…空所、９２ａ，９２ｂ…板部、９４…空所、９４ａ，９４ｂ…板部、９６，９８…突条、１００…ビス、１０２…ビス
【図１】
2018143398.tif 000003
【図２】
2018143398.tif 000004
【図３】
2018143398.tif 000005
【図４】
2018143398.tif 000006
【図５】
2018143398.tif 000007
【図６】
2018143398.tif 000008
【図７】
2018143398.tif 000009
【図８】
2018143398.tif 000010
【図９Ａ】
2018143398.tif 000011
【図９Ｂ】
2018143398.tif 000012
【図１０】
2018143398.tif 000013
【図１１】
2018143398.tif 000014
【図１２】
2018143398.tif 000015
【図１３】
2018143398.tif 000016